(57)【要約】      （修正有）【課題】複数の商品を集合して包装するとともに、包装箱の一部を分離させて商品を店頭等に陳列する包装箱を提供する。【解決手段】包装箱Ａは、内箱部Ａ１と外箱部Ａ２とを有し、内箱部Ａ１は分離部２４、３４の外側が外箱部Ａ２に接着している。外箱部Ａ２の片部１２２を破断して外側に引き出すことにより分離部２４、３４が分離される。内箱部Ａ１には、商品を収納する上段を形成する棚部や、上段を補強する補強片部２８，４６が形成されている。包装箱に対して上方から被収納物である商品を収納して、蓋部を閉じて封止するのみであるので、容易に被収納物（商品）の梱包作業を行うことができ、また、外側側面部における分離部が接着された領域が破断することにより、分離部を内箱部から分離して外箱部を上方に引き上げるのみで陳列することができるので、陳列作業を容易に行なうことができる。【選択図】図３
0003147083.tif 000002
【実用新案登録請求の範囲】
【請求項１】
包装箱であって、
略方形状の底面部と、底面部の各辺から立設し底面部に対して略直角をなす内側スリーブ状部で、
略方形状の内側背面部と、
内側背面部から連設された一対の内側側面部であって、内側背面部の両側から正面側に連設され、上下方向の途中位置の正面側に切欠部が形成され、切欠部を挟んだ下側と上側において正面側に突出した突状部を有する一対の内側側面部本体部と、該切欠部内に内側側面部本体部とミシン目を有する切目線を介して分離可能に形成された分離部と、を有する内側側面部と、
内側側面部の正面側の端部から連設された内側正面部で、一対の内側側面部本体部の下側の突状部に連設された下側正面部と、一対の内側側面部本体部の上側の突状部に連設された上側正面部と、該上側正面部の上端から連設され、組立て前状態では上側正面部の上方に伸びた状態とし、組立て後状態では上側正面部の背面側に設けられる上側正面部補強片部と、上側正面部補強片部の上側正面部側とは反対側の辺部から折れ線を介して連設された棚部で、組立て前状態では上側正面部補強片部の上方に伸びた状態とし、組立て後状態では水平方向に設けられて背面部に係止する棚部と、を有する内側正面部と、
内側背面部と一対の内側側面部と下側正面部とから連設された底面部と、
を有し、全体に１枚のブランクにより形成された内箱部と、
内箱部を覆う外箱部で、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部と、一対の内側側面部における各内側側面部の外側の面に沿ってそれぞれ形成された外側側面部と、内側背面部の外側の面に沿って形成された外側背面部とを有する外側スリーブ状部と、外側スリーブ状部の上端から折れ線を介して連設された蓋部とを有し、内箱部における分離部が設けられた内側側面部に対応した外側側面部に分離部が接着され、外側側面部における分離部が接着された領域が該外側側面部の他の部分から破断可能に形成されており、全体に１枚のブランクにより形成された外箱部と、
を有し、
外側側面部における分離部が接着された領域が破断することにより、分離部が外側側面部に接着した状態のまま内箱部から分離することを特徴とする包装箱。
【請求項２】
内箱部が、内側側面部の上端から連設され、組立て前状態では内側側面部本体部の上方に伸びた状態とし、組立て後状態では内側側面部本体部の内側に設けられる第１補強片部と、内側背面部の上端から連設され、組立て前状態では内側背面部の上方に伸びた状態とし、組立て後状態では内側背面部の内側に設けられる第２補強片部とを有することを特徴とする請求項１に記載の包装箱。
【請求項３】
外側側面部のいずれか一方に、横方向に形成された直線状の第１切目線と、第１切目線の端部から下側に向けて縦方向に形成された直線状の第２切目線と、第２切目線の下端から横方向で第１切目線に対して平行に形成された直線状の第３切目線とを有する略コ字状の切目線と、該略コ字状の切目線が形成された外側側面部と外側正面部間の境界線の下端から上方に形成された切欠部と、第３切目線の第２切目線側とは反対側の端部と切欠部とを結ぶ第４切目線と、第１切目線の第２切目線側とは反対側の端部から外側側面部の正面側に形成されるとともに、外側正面部に横方向に形成され、さらに、相対する外側側面部に形成され、該外側側面部の下端にまで形成された第５切目線とを有し、略コ字状の切目線により形成された片部を外側に破断することにより、片部の内側の分離部が分離され、さらに、第４切目線と第５切目線を介して外側に破断することにより、他の分離部が分離することを特徴とする請求項１又は２に記載の包装箱。
【請求項４】
下側正面部の上端から連設され、組立て前状態では、下側正面部の上方に伸びた状態とし、組立て後状態では下側正面部の背面側に設けられる下側正面部補強片部を有することを特徴とする請求項１又は２又は３に記載の包装箱。
【請求項５】
内箱部の底面部が、内側背面部から連設された片部と、一対の内側側面部のそれぞれから連設された片部と、下側正面部から連設された片部とにより構成され、内側背面部と一対の内側側面部と内側正面部とからなる構成を全体に略平板状となるように折り畳むことにより、底面部も折り畳んだ状態となり、内箱部を折り畳んだ状態とすることができることを特徴とする請求項１又は２又は３又は４に記載の包装箱。
【考案の詳細な説明】
【技術分野】
【０００１】
本考案は、包装箱に関するものであり、複数の商品を集合して包装するとともに、包装箱の一部を分離させて商品を店頭等に陳列する包装箱に関するものである。
【背景技術】
【０００２】
従来より、複数の商品を集合して包装するとともに、店頭等に陳列する包装箱として、出願人は、特許文献１の包装箱について出願をしている。すなわち、特許文献１は、包装箱であって、底面部と、底面部の各辺から立設し底面部に対して略直角をなす複数の内側側面部からなる内側スリーブ状部とを有し、上部が開口した内箱部で、少なくとも２つの内側側面部において、内側側面部の上端の領域の一部が分離部として他の部分とミシン目を有する切目線を介して分離可能に形成された内箱部と、内箱部を覆う外箱部で、内箱部の内側スリーブ状部を構成する各内側側面部に対応して各内側側面部の外側の面に沿って設けられた外側側面部を有する外側スリーブ状部と、複数の外側側面部における少なくとも１つから連設された蓋部とを有し、内箱部における分離部が設けられた内側側面部に対応した外側側面部には、略コ字状の切込みが、該略コ字状の切込みにより形成された片部が水平方向に回動可能となるように形成され、該片部の内側の面が分離部と接着されている外箱部と、を有し、該略コ字状の切込みにより形成される片部を水平方向に外側に回動して破断させることにより、分離部が片部に接着した状態のまま内箱部から分離することを特徴とするものである。
【０００３】
また、出願人は、特許文献２、特許文献３に記載の先行技術文献を知得している。
【特許文献１】実用新案登録第３１３９９４８号公報
【特許文献２】特開２００３−１２８０５１号公報
【特許文献３】特開２００３−１２８０５２号公報
【考案の開示】
【考案が解決しようとする課題】
【０００４】
しかし、特許文献１に記載の包装箱においては、商品を収納するスペースが一段しかなく、上下方向に複数段に商品を陳列することができるものが要望されていた。
【０００５】
そこで、本考案は、底面部と、内側スリーブ状部を有する内箱部で、内側スリーブ状部の内側側面部の一部が分離部として他の部分と切目線を介して分離可能な内箱部と、内箱部を覆う外箱部で、内側スリーブ状部を構成する各内側側面部に対応して外側側面部を有する外側スリーブ状部と、蓋部とを有し、分離部が設けられた内側側面部に対応した外側側面部には、切目線により形成された片部が分離部と接着されている外箱部と、を有する包装箱において、内箱部において商品を複数段に陳列することができる包装箱を提供することを目的とする。
【課題を解決するための手段】
【０００６】
本考案は上記問題点を解決するために創作されたものであって、第１には、包装箱であって、略方形状の底面部と、底面部の各辺から立設し底面部に対して略直角をなす内側スリーブ状部で、略方形状の内側背面部と、内側背面部から連設された一対の内側側面部であって、内側背面部の両側から正面側に連設され、上下方向の途中位置の正面側に切欠部が形成され、切欠部を挟んだ下側と上側において正面側に突出した突状部を有する一対の内側側面部本体部と、該切欠部内に内側側面部本体部とミシン目を有する切目線を介して分離可能に形成された分離部と、を有する内側側面部と、内側側面部の正面側の端部から連設された内側正面部で、一対の内側側面部本体部の下側の突状部に連設された下側正面部と、一対の内側側面部本体部の上側の突状部に連設された上側正面部と、該上側正面部の上端から連設され、組立て前状態では上側正面部の上方に伸びた状態とし、組立て後状態では上側正面部の背面側に設けられる上側正面部補強片部と、上側正面部補強片部の上側正面部側とは反対側の辺部から折れ線を介して連設された棚部で、組立て前状態では上側正面部補強片部の上方に伸びた状態とし、組立て後状態では水平方向に設けられて背面部に係止する棚部と、を有する内側正面部と、内側背面部と一対の内側側面部と下側正面部とから連設された底面部と、を有し、全体に１枚のブランクにより形成された内箱部と、内箱部を覆う外箱部で、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部と、一対の内側側面部における各内側側面部の外側の面に沿ってそれぞれ形成された外側側面部と、内側背面部の外側の面に沿って形成された外側背面部とを有する外側スリーブ状部と、外側スリーブ状部の上端から折れ線を介して連設された蓋部とを有し、内箱部における分離部が設けられた内側側面部に対応した外側側面部に分離部が接着され、外側側面部における分離部が接着された領域が該外側側面部の他の部分から破断可能に形成されており、全体に１枚のブランクにより形成された外箱部と、を有し、外側側面部における分離部が接着された領域が破断することにより、分離部が外側側面部に接着した状態のまま内箱部から分離することを特徴とする。
【０００７】
この第１の構成においては、組立て前状態においては、上側正面部補強片部や棚部が上方に伸びた状態となっているので、この状態で、外箱部の上方からまず下段である底面部の上面に被収納物を収納し、その後、内箱部を組立て後状態として、棚部を背面部に係止して水平方向にすることにより上段を形成する。そして、上段にも被収納物を収納して、その後、外箱部の蓋部を閉状態にして、接着テープにより蓋部を封止する。つまり、外箱部の外側正面部から上面を経て外側背面部側にまで接着テープを貼り付けることにより蓋部を封止する。被収納物を包装箱に包装したら、被収納物を収納した包装箱を被収納物を陳列する場所に搬送する。その後、被収納物を陳列する場合には、外箱部を内箱部から分離する。すなわち、外側側面部における分離部が接着された領域を破断することにより、分離部が外側側面部に接着した状態のまま内箱部から分離させ、外箱部を上方に引き上げることにより、被収納物を収納した状態で、かつ、分離部が分離した状態の内箱部が残るので、被収納物を内箱部に収納した状態で被収納物を陳列する。
【０００８】
よって、包装箱に対して上方から被収納物である商品を収納して、蓋部を閉じて封止するのみであるので、容易に被収納物（商品）の梱包作業を行うことができ、また、外側側面部における分離部が接着された領域が破断することにより、分離部を内箱部から分離して外箱部を上方に引き上げるのみで陳列することができるので、陳列作業を容易に行なうことができる。さらには、内箱部において被収納物を複数段に陳列することができる。
【０００９】
なお、ブランクの厚みに対応するために、上側正面部と上側正面部補強片部の間に帯状部を設けてもよい。
【００１０】
また、第２には、上記第１の構成において、内箱部が、内側側面部の上端から連設され、組立て前状態では内側側面部本体部の上方に伸びた状態とし、組立て後状態では内側側面部本体部の内側に設けられる第１補強片部と、内側背面部の上端から連設され、組立て前状態では内側背面部の上方に伸びた状態とし、組立て後状態では内側背面部の内側に設けられる第２補強片部とを有することを特徴とする。よって、棚部の上方の周囲を補強することができ、上段の収納スペースの強度を向上させることができる。
【００１１】
また、第３には、上記第１又は第２の構成において、外側側面部のいずれか一方に、横方向に形成された直線状の第１切目線と、第１切目線の端部から下側に向けて縦方向に形成された直線状の第２切目線と、第２切目線の下端から横方向で第１切目線に対して平行に形成された直線状の第３切目線とを有する略コ字状の切目線と、該略コ字状の切目線が形成された外側側面部と外側正面部間の境界線の下端から上方に形成された切欠部と、第３切目線の第２切目線側とは反対側の端部と切欠部とを結ぶ第４切目線と、第１切目線の第２切目線側とは反対側の端部から外側側面部の正面側に形成されるとともに、外側正面部に横方向に形成され、さらに、相対する外側側面部に形成され、該外側側面部の下端にまで形成された第５切目線とを有し、略コ字状の切目線により形成された片部を外側に破断することにより、片部の内側の分離部が分離され、さらに、第４切目線と第５切目線を介して外側に破断することにより、他の分離部が分離することを特徴とする。以上のようにして、外側側面部における分離部が接着された領域が該外側側面部の他の部分から破断可能に形成される。
【００１２】
また、第４には、上記第１から第３までのいずれかの構成において、下側正面部の上端から連設され、組立て前状態では、下側正面部の上方に伸びた状態とし、組立て後状態では下側正面部の背面側に設けられる下側正面部補強片部を有することを特徴とする。よって、下段の収納スペースの正面側を補強することができる。なお、ブランクの厚みに対応するために、下側正面部と下側正面部補強片部の間に帯状部を設けてもよい。
【００１３】
また、第５には、上記第１から第４までのいずれかの構成において、内箱部の底面部が、内側背面部から連設された片部と、一対の内側側面部のそれぞれから連設された片部と、下側正面部から連設された片部とにより構成され、内側背面部と一対の内側側面部と内側正面部とからなる構成を全体に略平板状となるように折り畳むことにより、底面部も折り畳んだ状態となり、内箱部を折り畳んだ状態とすることができることを特徴とする。よって、内箱部を平板状に折り畳むことが可能となる。
【考案の効果】
【００１４】
本考案に基づく包装箱によれば、包装箱に対して上方から被収納物である商品を収納して、蓋部を閉じて封止するのみであるので、容易に被収納物（商品）の梱包作業を行うことができ、また、外側側面部における分離部が接着された領域が破断することにより、分離部を内箱部から分離して外箱部を上方に引き上げるのみで陳列することができるので、陳列作業を容易に行なうことができる。さらには、内箱部において被収納物を複数段に陳列することができる。
【考案を実施するための最良の形態】
【００１５】
本考案においては、底面部と、内側スリーブ状部を有する内箱部で、内側スリーブ状部の内側側面部の一部が分離部として他の部分と切目線を介して分離可能な内箱部と、内箱部を覆う外箱部で、内側スリーブ状部を構成する各内側側面部に対応して外側側面部を有する外側スリーブ状部と、蓋部とを有し、分離部が設けられた内側側面部に対応した外側側面部には、切目線により形成された片部が分離部と接着されている外箱部と、を有する包装箱において、内箱部において商品を複数段に陳列することができる包装箱を提供するという目的を以下のようにして実現した。
【００１６】
本考案に基づく包装箱Ａは、図１〜図７等に示すように構成され、図１、図３、図１０等に示すように、内箱部Ａ１と、外箱部Ａ２とを有していて、それぞれが１枚のシート状のブランク（具体的には、段ボール、厚紙等）により形成されている。
【００１７】
なお、図６、図７に示す展開図においては、基本的に、山折れ線は一点鎖線で示され、谷折れ線は実線（細い実線）で示している。
【００１８】
内箱部Ａ１は、全体に上部が開口した容器状を呈し、図３、図６等に示すように、スリーブ状部（内側スリーブ状部）５と、底面部５０とを有している。スリーブ状部５は、組立て状態では、底面部５０の周囲から立設して形成され（ただし、一部は側面部２０、３０から連設されている）、正面部（内側正面部）１０と、側面部（内側側面部）２０と、側面部（内側側面部）３０と、背面部（内側背面部）４０と、糊代部４８とを有していて、その展開状態は、図６に示すように形成されている。
【００１９】
ここで、正面部１０は、下側構成部１２と、上側構成部１４と、棚部１６とを有している。
【００２０】
下側構成部１２は、略方形状の下側正面部１２ａと、下側正面部１２ａの上端から連設された帯状部１２ｂと、帯状部１２ｂの下側正面部１２ａ側とは反対側から連設された略方形状の下側正面部補強片部１２ｃとを有している。下側正面部補強片部１２ｃは、下側正面部１２ａと略同一の大きさ（左右方向には下側正面部１２ａよりも若干小さく形成されている）に形成され、その先端には、底面部５０の本体部７０に形成された開口部７６に係止する突出部１２ｃ−１が形成されている。内箱部Ａ１の組立て時には下側正面部補強片部１２ｃは、下側正面部１２ａの背面側に略平行に配置される。
【００２１】
なお、帯状部１２ｂを省略して、下側正面部補強片部１２ｃを下側正面部１２ａから連設させてもよい。また、帯状部１２ｂと下側正面部補強片部１２ｃとを合わせた構成を下側正面部補強片部としてもよい。
【００２２】
また、上側構成部１４は、下側構成部１２と間隔を介して下側構成部１２よりも上方に設けられ、略方形状の上側正面部１４ａと、上側正面部１４ａの上端から連設された帯状部１４ｂと、帯状部１４ｂの上側正面部１４ａ側とは反対側から連設された略方形状の上側正面部補強片部１４ｃとを有している。上側正面部１４ａは、その両側が側面部本体部２２、３２に折れ線を介して連設されている。上側正面部補強片部１４ｃは、上側正面部１４ａと略同一の大きさ（左右方向には上側正面部１４ａよりも若干小さく形成されている）に形成されている。内箱部Ａ１の組立て時（具体的には、二次組立ての際）には上側正面部補強片部１４ｃは、上側正面部１４ａの背面側に略平行に配置される。
【００２３】
なお、帯状部１４ｂを省略して、上側正面部補強片部１４ｃを上側正面部１４ａから連設させてもよい。また、帯状部１４ｂと上側正面部補強片部１４ｃとを合わせた構成を上側正面部補強片部としてもよい。
【００２４】
棚部１６は、上側正面部補強片部１４ｃの帯状部１４ｂ側とは反対側の片部から折れ線を介して連設され、略方形状の棚部本体部１６ａと、当接片部１６ｂとを有している。
【００２５】
棚部本体部１６ａは、方形状に半円状の凹部を形成した形状を呈し、方形状の外形は、内箱部Ａ１のスリーブ状部５を四角形状に組み立てた場合の横断面と内側の輪郭と略同一の大きさを有している。半円状の凹部は、半円状の切込み１６ｃによるものである。また、上側正面部補強片部１４ｃとの境界をなす折れ線に沿ってミシン目が形成されている。
【００２６】
また、当接片部１６ｂは、略長方形状に半円状の突出部を設けた形状に形成され、略長方形状の本体部１６ｂ−１と半円状の突出部１６ｂ−２とを有している。本体部１６ｂ−１は、内箱部Ａ１を組み立てた場合に、背面部４０に当接する片部である。また、突出部１６ｂ−２は、当接片部１６ｂと棚部本体部１６ａの境界位置を基端とした半円状の切込みにより形成され、内箱部Ａ１の組立時（具体的には、二次組立ての際）に棚部１６を組み立てる際に、背面部４０の開口部４２ａに挿通される。
【００２７】
次に、側面部２０は、正面部１０の正面視における右側の端部から折れ線を介して連設され、下側正面部１２ａと上側正面部１４ａから折れ線を介して連設された側面部本体部２２と、側面部本体部２２に連設された分離部２４と、側面部本体部２２の上端から連設された帯状部２６と、帯状部２６の側面部本体部２２と反対側の辺部から連設された補強片部（第１補強片部）２８とを有している。
【００２８】
ここで、側面部本体部２２は、略台形形状（水平方向の辺部と垂直方向の辺部と水平方向に対して傾斜した辺部により囲まれた台形形状）の略中央の正面部１０側に略台形形状の切欠部２２Ｋを有する形状を呈している。つまり、切欠部２２Ｋは、傾斜した直線状の辺部と円弧状の辺部とを連設した下側辺部２２ａと、下側辺部２２ａの背面側の端部から垂直に形成された垂直辺部２２ｂと、垂直辺部２２ｂの上端から傾斜して形成された直線状の辺部２２ｃにより囲まれた形状を呈している。
【００２９】
この側面部本体部２２は、上記のように形成されているので、正面側に突状部２２−１と突状部２２−２が形成されているともいえる。つまり、側面部本体部２２は、切欠部２２Ｋを挟んだ下側と上側において正面側に突出した突状部２２−１、２２−２を有している。この突状部２２−１は、下側正面部１２ａから折れ線を介して連設され、突状部２２−２は、上側正面部１４ａから折れ線を介して連設されている。
【００３０】
また、分離部２４は、側面部本体部２２の切欠部２２Ｋの内側に形成され、略方形状（下辺が円弧状の方形状）を呈している。この分離部２４は、辺部２２ａとは円弧状の部分とミシン目状の切目線Ｋ２を介して連設され、また、辺部２２ｂとの間には切込みＫ４が形成され、辺部２２ｃとの間には切込みＫ６が形成されている。つまり、分離部２４は、その下辺のみが側面部本体部２２と連設されている。
【００３１】
また、帯状部２６は、側面部本体部２２の上端の傾斜した辺部を介して帯状に形成されている。
【００３２】
また、補強片部２８は、帯状部２６から折れ線を介して連設され、略三角形状に形成され、１辺は垂直方向に伸び、他の１辺は傾斜して形成されている。この他の１辺は、内箱部Ａ１を組み立てた際に、背面部４０の内側に沿うように形成されている。
【００３３】
また、側面部３０は、正面部１０の正面視における左側の端部から折れ線を介して連設され、下側正面部１２ａと上側正面部１４ａから折れ線を介して連設された側面部本体部３２と、側面部本体部３２に連設された分離部３４と、側面部本体部３２の上端から連設された帯状部３６と、帯状部３６の側面部本体部３２と反対側の辺部から連設された補強片部（第１補強片部）３８とを有している。この側面部３０の構成は、側面部２０と前後方向に垂直な仮想的な平面である中心面を介して対称に形成されていて、側面部本体部３２は側面部本体部２２と対称に形成され、分離部３４は分離部２４と対称に形成され、帯状部３６は帯状部２６と対称に形成され、補強片部３８は補強片部２８と対称に形成されている。
【００３４】
なお、側面部本体部３２は、略台形形状の略中央の正面部１０側に略台形形状の切欠部３２Ｋを有する形状を呈している。つまり、切欠部３２Ｋは、傾斜した直線状の辺部と円弧状の辺部とを連設した下側辺部３２ａと、下側辺部３２ａの背面側の端部から垂直に形成された垂直辺部３２ｂと、垂直辺部３２ｂの上端から傾斜して形成された直線状の辺部３２ｃにより囲まれた形状を呈している。また、分離部３４は、側面部本体部３２の切欠部３２Ｋの内側に形成され、略方形状（下辺が円弧状の方形状）を呈している。この分離部３４は、辺部３２ａとは円弧状の部分とミシン目状の切目線Ｋ１２を介して連設され、また、辺部３２ｂとの間には切込みＫ１４が形成され、辺部３２ｃとの間には切込みＫ１６が形成されている。つまり、分離部３４は、その下辺のみが側面部本体部３２と連設されている。
【００３５】
また、背面部４０は、側面部３０の左側面視における左端から折れ線を介して連設され、方形状（長方形状）を呈する背面部本体部（内側背面部）４２と、背面部４２の上端から連設された帯状部４４と、帯状部４４の背面部本体部４２とは反対側の辺部から連設された補強片部（第２補強片部）４６とを有している。
【００３６】
この背面部本体部４２の横幅は、正面部の横幅と同一に形成され、背面部本体部４２の縦幅は、側面部本体部２２、３２の縦幅（最大縦幅）と同一に形成されている。この背面部４０には、当接片部１６ｂにおける突出部１６ｂ−２が係止するための横長の開口部４２ａが形成されている。
【００３７】
また、補強片部４６は、略方形状（先端の両側が突状となった方形状）を呈し、内箱部Ａ１を組み立てた際に、背面部本体部４２と平行となり、当接片部１６ｂの本体部１６ｂ−１に接するように形成される。
【００３８】
また、糊代部４８は、背面部本体部４２の背面視における左端から折れ線を介して連設され、縦方向に細長の帯状台形形状を呈している。この糊代部４８は、その外側の面が側面部本体部２２の内側の面に接着されている。
【００３９】
また、底面部５０は、接続片部６０と、本体部７０と、副体部８０と、接続片部９０とを有し、包装箱Ａの組立て状態（一次組立て及び二次組立ての状態）においては、図５に示すように、略方形状を呈している。
【００４０】
ここで、接続片部６０は、側面部本体部３２の下端から折れ線を介して連設され、先端側にいくほど幅狭となる略台形形状に形成されている。
【００４１】
また、本体部７０は、下側正面部１２ａの下端から折れ線を介して連設され、略方形状に形成され、本体部７０のその上面が内箱部Ａ１の内底面を形成している。また、本体部７０の角部（下側正面部１２ａと側面部本体部２２の境界位置の角部）からは本体部７０の下側正面部１２ａとの境界をなす辺部に対して斜めに所定間隔で切込みが形成された（つまり、折曲しやすいように切込みが形成されている）折れ線７０−１（この折れ線７０−１は、上面側が山折れ線となっている）が形成され、内箱部Ａ１を折り畳む際に、容易に折り畳むことができるようになっている。この本体部７０には、下側正面部１２ａとの境界線に沿って四角形状の開口部７６が形成されている。
【００４２】
また、副体部８０は、背面部本体部４２の下端から折れ線を介して連設され、細長の長方形状の長手方向の一方の端部において背面部本体部４２との境界線とは反対側に略台形状に突出させた形状を呈し、副体部８０の角部（背面部本体部４２と側面部本体部３２の境界位置の角部）からは副体部８０の背面部本体部４２との境界をなす辺部に対して斜めに所定間隔で切込みが形成された（つまり、折曲しやすいように切込みが形成されている）折れ線８０−１（この折れ線８０−１は、上面側が山折れ線となっている）が形成され、この折れ線８０−１を介して先端側が先端部８４を構成し、折れ線８０−１を介して基端側が基端部８２を構成する。この先端部８４は、図５に示すように、その上面側が、先端部８４の辺部８４ａが側面部本体部３２と接続片部６０の境界線に対して平行になるように、接続片部６０の下面に接着されている。
【００４３】
また、接続片部９０は、側面部本体部２２の下端から折れ線を介して連設され、略台形形状を呈し、この接続片部９０の角部（側面部本体部２２と下側正面部１２ａの境界位置の角部）からは接続片部９０の側面部本体部２２との境界をなす辺部に対して斜めに所定間隔で切込みが形成された（つまり、折曲しやすいように切込みが形成されている）折れ線９０−１（この折れ線９０−１は、上面側が山折れ線となっている）が形成され、この折れ線９０−１を介して先端側が先端部９４を構成し、折れ線９０−１を介して基端側が基端部９２を構成する。この先端部９４は、図５に示すように、その上面側が、先端部９４の辺部９４ａが下側正面部１２ａと本体部７０の境界線に対して平行になるように、側面部本体部２２の下面に接着されている。
【００４４】
内箱部Ａ１を一次組立てした状態、つまり、一次組立ての状態（正面部１０と側面部２０、３０と背面部４０とを単にスリーブ状にした状態（下側構成部１２や上側構成部１４や棚部１６は組み立てられていない））では、正面部１０と背面部４０とが互いに平行になり、側面部２０と側面部３０とが互いに平行になり、底面部５０を構成する各部材は、正面部１０、側面部２０、３０、背面部４０に対して略直角（直角でもよい）となる。また、スリーブ状部５を構成する各部材（正面部１０、側面部２０、３０、背面部４０）における隣接する部材は互いに直角となっている。なお、一次組立ての状態では、下側正面部補強片部１２ｃの突出部１２ｃ−１を開口部７６に係止させることにより下側構成部１２が略コ字状に組み立てられている。
【００４５】
なお、内箱部Ａ１の一次組立て前の状態（つまり、図９のように折り畳むことができる状態）では、下側構成部１２は全体に平板状を呈し（つまり、下側正面部補強片部１２ｃが上方に伸びた状態となっている）、上側構成部１４と棚部１６とは全体に平板状を呈している（つまり、上側正面部補強片部１４ｃと棚部１６が上側に伸びた状態となっている）。
【００４６】
また、内箱部Ａ１を二次組立てした状態、つまり、二次組立ての状態では、上側構成部１４を略コ字状に組み立てるとともに、当接片部１６ｂの突出部１６ｂ−２を開口部４２ａに係止させることにより棚部本体部１６ａが水平状態となり、また、補強片部２８が側面部本体部２２の内側に略平行となり、補強片部３８が側面部本体部３２の内側に略平行となり、補強片部４６が背面部本体部４２の内側に略平行となる。
【００４７】
また、内箱部Ａ１は、平板状に折り畳むことができ、正面部１０と側面部３０との角度を小さくし、背面部４０と側面部２０との角度を小さくさせるとともに、本体部７０を上方に回動させて本体部７０が側面部２０に対して略平行になるようにすることにより、図９に示すように、内箱部Ａ１が全体に平板状に折り畳むことができる。また、内箱部Ａ１を折り畳んだ状態では、底面部５０を構成する各部は、スリーブ状部５内にスリーブ状部５を構成する正面部１０、側面部２０、３０、背面部４０に対して略平行な状態となる。
【００４８】
なお、正面部１０と側面部２０、３０と背面部４０は、請求項１における内側側面部を構成する。
【００４９】
次に、外箱部Ａ２は、内箱部Ａ１を覆う箱体であり、図１〜図４、図８等に示すように、スリーブ状部（外側スリーブ状部）１０５と、上面部１６０、１７０、１８０、１９０とを有していて、その展開状態は、図７に示すように形成されている。
【００５０】
ここで、スリーブ状部１０５は、組み立てた状態では、四角形状の筒状を呈し、正面部（外側正面部）１１０と、側面部（外側側面部）１２０と、側面部（外側側面部）１３０と、背面部（外側背面部）１４０とを有している。
【００５１】
ここで、正面部１１０は、方形状（長方形状）の板状を呈している。この正面部１１０の横幅は、内箱部Ａ１を外箱部Ａ２内に収納することができるように、正面部１０の横幅よりも若干大きく形成されている。なお、この正面部１１０には、側面部１２０、１３０との境界位置に設けられた開口部Ｋ２２と開口部Ｋ３２間を結ぶミシン目１１２が形成されている。
【００５２】
また、側面部１２０は、正面部１１０の正面視における右側の端部から折れ線Ｋ２１を介して連設され、方形状を呈している。
【００５３】
ここで、側面部１２０には、切目線１２４により形成される片部１２２が形成されている。切目線１２４は、略コ字状を呈し、横方向（側面部１２０の下辺と略平行な方向）に形成された直線状の第１切目線１２４ａと、第１切目線１２４ａの端部（右側面視における右側の端部）から下側に向けて縦方向（側面部１２０の下辺と略直角な方向）に形成された直線状の第２切目線１２４ｂと、第２切目線１２４ｂの下端から横方向で第１切目線１２４ａに対して平行に形成された直線状の第３切目線１２４ｃにより、全体に略コ字状に形成されている。つまり、第２切目線１２４ｂは、第１切目線１２４ａと第３切目線１２４ｃに対して直角に形成されている。また、第１切目線１２４ａの長さと第３切目線１２４ｃの長さは同一に形成されている。この第１切目線１２４ａと第３切目線１２４ｃ間の幅は、内箱部Ａ１の分離部２４の縦方向の幅よりも大きく形成され、また、第１切目線１２４ａや第３切目線１２４ｃの長さは、分離部２４の横方向の幅よりも大きく形成されている。以上のように、略コ字状の切目線１２４と、第１切目線１２４ａ及び第３切目線１２４ｃの第２切目線１２４ｂ側とは反対側の端部間を結ぶ仮想状の直線により囲まれた領域が、片部１２２となる。なお、第１切目線１２４ａと第３切目線１２４ｃはミシン目であり、第２切目線１２４ｂは切込みである。
【００５４】
また、第２切目線１２４ｂの上端から下端に向けての途中位置には、第１切目線１２４ａや第３切目線１２４ｃが設けられている側とは反対側に、横方向に互いに平行な切込み１２６ａ、１２６ｂが形成されている。つまり、切込み１２６ａと切込み１２６ｂは、互いに平行に形成され、第１切目線１２４ａや第３切目線１２４ｃと平行に形成されている。また、切込み１２６ａは、第１切目線１２４ａよりも下側に形成され、切込み１２６ｂは、第３切目線１２４ｃよりも上側に形成されている。以上のように、切込み１２６ａと、切込み１２６ｂと、第２切目線１２４ｂと、切込み１２６ａ及び切込み１２６ｂの第２切目線１２４ｂ側とは反対側の端部間を結ぶ仮想状の直線によりにより囲まれた領域が、片部１２８となる。この側面部１２０の横幅は、内箱部Ａ１を外箱部Ａ２内に収納することができるように、側面部２０の横幅よりも若干大きく形成されている。なお、上記の説明では、平行な切込み１２６ａ、１２６ｂが形成されているとしたが、切込み１２６ａ、１２６ｂの第２切目線１２４ｂとは反対側の端部間にも切込みを入れて、該切込みと切込み１２６ａ、１２６ｂと第２切目線１２４ｂで囲まれた領域を開口させて開口部を形成してもよい。
【００５５】
なお、正面部１１０と側面部１２０の境界位置には、所定間隔で切込みが形成された（つまり、折曲しやすいように切込みが形成されている）直線状の折れ線Ｋ２１が形成されている。また、側面部１２０と正面部１１０の間の位置における下側には、縦長の切欠部Ｋ２０が形成され、切欠部Ｋ２０の上方には折れ線Ｋ２１の延長線上に細長の開口部Ｋ２２が形成されている。
【００５６】
また、側面部１２０には、第３切目線１２４ｃと切欠部Ｋ２０とを結ぶミシン目１２９ａが形成され、また、第１切目線１２４ａと開口部Ｋ２２とを結ぶミシン目１２９ｂが形成されている。
【００５７】
また、側面部１３０は、正面部１１０の正面視における左側の端部から折れ線Ｋ３１を介して連設され、方形状を呈している。
【００５８】
この側面部１３０には、ミシン目１３２が形成されている。ミシン目１３２は、側面部１３０の下端から側面部１３０の下辺に対して垂直方向に形成されたミシン目１３２ａと、ミシン目１３２ａの上端から横方向（側面部１３０の下辺に対して直角の方向）に形成されたミシン目１３２ｂと、ミシン目１３２ｂの端部と開口部Ｋ３２とを結ぶミシン目１３２ｃとを有している。ミシン目１３２ｃは、ミシン目１３２ｂの正面側の端部から上方に直線状に形成されたミシン目１３２ｃ−１と、ミシン目１３２ｃ−１から連設され正面側に向けて上方に直線状に傾斜して形成されたミシン目１３２ｃ−２とから形成されている。なお、ミシン目１３２ｂは、第１切目線１２４ａと線対称の位置に形成されている。
【００５９】
なお、正面部１１０と側面部１３０の境界位置には、所定間隔で切込みが形成された（つまり、折曲しやすいように切込みが形成されている）直線状の２本の互いに平行な折れ線Ｋ３１が形成されている。また、側面部１３０と正面部１１０の間の位置における下側には、縦長の開口部Ｋ３０が形成され、開口部Ｋ３０の上方には折れ線Ｋ３１の延長線上に細長の開口部Ｋ３２が形成されている。
【００６０】
なお、ミシン目１２９ａが上記第４切目線に当たり、ミシン目１２９ｂとミシン目１１２とミシン目１３２とで上記第５切目線が構成される。
【００６１】
また、背面部１４０は、側面部１３０の左側面視における左端から折れ線Ｋ４０を介して連設され、方形状を呈している。この背面部１４０の横幅は、内箱部Ａ１を外箱部Ａ２内に収納することができるように、背面部４０の横幅よりも若干大きく形成されている。また、背面部１４０には、半円状の開口部１４２が設けられ、内箱部Ａ１における当接片部１６ｂの突出部１６ｂ−２を開口部４２ａに係止させた際に、突出部１６ｂ−２は、開口部１４２の位置に露出する。
【００６２】
なお、側面部１３０と背面部１４０の境界位置には、所定間隔で切込みが形成された（つまり、折曲しやすいように切込みが形成されている）直線状の折れ線Ｋ４０が形成されている。
【００６３】
また、糊代部１４４は、側面部１２０の右側面視における右端から折れ線Ｋ５０を介して連設され、縦方向に細長の帯状台形形状を呈している。この糊代部１４４は、図２に示すように、その内側の面が背面部１４０の外側の面に接着されている。
【００６４】
なお、側面部１２０と糊代部１４４の境界位置には、所定間隔で切込みが形成された（つまり、折曲しやすいように切込みが形成されている）直線状の２本の互いに平行な折れ線Ｋ５０が形成されている。また、正面部１１０と側面部１２０、１３０と背面部１４０の縦幅は同一に形成されていて、内箱部Ａ１の縦幅と同一又は若干大きく形成されている。
【００６５】
また、上面部１６０は、正面部１１０の上端から折れ線を介して連設され、方形状（長方形状）を呈している。また、上面部１７０は、側面部１２０の上端から折れ線を介して連設され、方形状（長方形状）を呈している。この上面部１７０と上面部１６０との間には隙間が形成されている。また、上面部１８０は、側面部１３０の上端から折れ線を介して連設され、方形状（長方形状）を呈している。この上面部１８０と上面部１６０との間には隙間が形成されている。また、上面部１９０は、背面部１４０の上端から折れ線を介して連設され、方形状（長方形状）を呈している。これら４つの上面部１６０〜１９０は、外箱部Ａ２の上面を開閉するものであり、特に、上面部１７０と上面部１８０を閉状態とすることにより外箱部Ａ２の上面が塞がれる。つまり、上面部１６０〜１９０は、蓋部を構成する。なお、上面部１６０〜１９０は、予め上方に立設した状態になっていて、外箱部Ａ２の上方が開口した状態になっている。また、外箱部Ａ２の展開状態においては、図７に示すように、上面部１６０〜１９０における隣接した上面部においては、隙間が形成されている。なお、蓋部としての上面部１６０〜１９０はスリーブ状部１０５の上端の各辺から連設されているが、少なくとも１つの上面部から連設されていればよい。
【００６６】
外箱部Ａ２を箱状に組み立てた状態では、正面部１１０と背面部１４０とが互いに平行になり、側面部１２０と側面部１３０とが互いに平行になる。また、スリーブ状部１０５を構成する各部材（正面部１１０、側面部１２０、１３０、背面部１４０）における隣接する部材は互いに直角となっている。
【００６７】
次に、内箱部Ａ１と外箱部Ａ２とは、分離部２４、３４の箇所で互いに接着されている。つまり、分離部２４の外側の面と側面部１２０の内側の面とが接着剤その他の接着手段により接着されるとともに、分離部３４の外側の面と側面部１３０の内側の面とが接着剤その他の接着手段により接着されることにより、包装箱Ａが全体に一体に形成される。つまり、分離部２４の外側の面の全部又は一部の領域と側面部１２０（具体的には片部１２２）の内側の面の間には接着剤層（図示せず）が設けられていて、同様に、分離部３４の外側の面の全部又は一部の領域と側面部１３０の内側の面の間には接着剤層（図示せず）が設けられている。これにより、外箱部Ａ２のスリーブ状部１０５は、内箱部Ａ１におけるスリーブ状部５の外側の面に沿って設けられ、例えば、正面部１０の外側の面に沿って正面部１１０が設けられ、側面部２０の外側の面に沿って側面部１２０が設けられ、側面部３０の外側の面に沿って側面部１３０が設けられ、背面部４０の外側の面に沿って背面部１４０が設けられている。該接着剤層の接着力は、外箱部Ａ２の片部１２２を外側に回動させた際に、同時に分離部２４の下側の切目線Ｋ２が破れて、分離部２４が内箱部Ａ１から分離し、回動させた片部１２２に接着した状態で片部１２２に従動するように設定されていて、同様に、片部１２２を外側に引き続け、ミシン目１２９ａ、１２９ｂを破断し、次いでミシン目１１２を破断し、次いで、側面部１３０において、ミシン目１３２を破断することにより、同時に分離部３４の下側のミシン目Ｋ１２が破れて、分離部３４が内箱部Ａ１から分離し、側面部１３０における外側に引き出された部分に従動するように設定されている。
【００６８】
また、内箱部Ａ１と外箱部Ａ２とが接着された状態では、内箱部Ａ１の下端と外箱部Ａ２の下端とが同じ高さになるように形成されている。なお、内箱部Ａ１と外箱部Ａ２とは、分離部２４、３４の箇所以外は互いに接着されていない。以上のように、内箱部Ａ１は外箱部Ａ２の内側に収納した状態となっていて、内箱部Ａ１の底面部５０以外は外箱部Ａ２に被覆された状態となっている。つまり、外箱部Ａ２の下端の高さ方向の位置は、内箱部Ａ１の下端の高さ方向の位置と略同一であり、上面部１６０〜１９０を封止した状態では内箱部においては底面部５０のみが露出している。
【００６９】
なお、上記構成の包装箱Ａは、内箱部Ａ１が上記のように折り畳むことができ、また、外箱部Ａ２がスリーブ状部１０５を有し、全体に略スリーブ状を呈しているので、包装箱Ａの状態においても平板状に折り畳むことができ、正面部１１０を側面部１３０に対して略平行になるようにし、かつ、側面部１２０を背面部１４０に対して略平行になるようにすることにより、図８に示すように平板状に折り畳むことができる。
【００７０】
上記構成の包装箱Ａの使用状態について説明する。包装箱Ａを使用しない状況では、上記のように包装箱Ａは平板状に折り畳むことができるので、折り畳んで保管しておく。
【００７１】
そして、包装箱Ａを使用する際に、包装箱Ａを組み立てる。まず、一次組立てを行なう。すなわち、外箱部Ａ２における正面部１１０と背面部１４０とが互いに平行になり、側面部１２０と側面部１３０とが互いに平行になるようにするとともに、内箱部Ａ１における正面部１０と背面部４０とが互いに平行になり、側面部２０と側面部３０とが互いに平行になるようにし、底面部５０がスリーブ状部５、１０５に直角になるようにすることにより包装箱Ａが立体状に組み立てられる。この一次組立ての段階では、上側構成部１４（特に、帯状部１４ｂと上側正面部補強片部１４ｃ）と棚部１６とは１枚のシート状に上方に伸び、補強片部２８、３８、４６も上方に伸びた状態とする。なお、下側正面部補強片部１２ｃの突出部１２ｃ−１を開口部７６に係止させることにより下側構成部１２が略コ字状に組み立てる。このような一次組立ての状態では、上面部１６０〜１９０は、予め上方に立設した状態になっていて、外箱部Ａ２の上方が開口した状態になっており、また、上側構成部１４、棚部１６、補強片部２８、３８、４６が上方に伸びていて、内箱部Ａ１の上方から商品を入れることができるので、商品を投入して、底部５０の上面に商品を配置させる（図１０参照）。つまり、下段に商品を並べる。
【００７２】
下段への商品の配置が完了したら、内箱部Ａ１を二次組立ての状態とする（図１１、図１２参照）。これにより、棚部１６の棚部本体部１６ａが横方向に設置されて上段が組み立てられ、上段としての棚部本体部１６ａに商品を配置することができるので、商品を投入して上段に商品を配置する。内箱部Ａ１の下段と上段に商品を配置した状態は、図１３に示す状態となる（この図１３は、外箱部Ａ２がないものとして表現している）。
【００７３】
なお、一次組立てをする前の状態が、上記特許請求の範囲における「組立て前状態」に当たり、二次組立ての状態が、「組立て後状態」に当たる。
【００７４】
上段への商品の配置が完了したら、上面部１６０〜１９０を閉状態にして、接着テープＴを外箱部Ａ２の正面部１１０から上面を経て背面部１４０側にまで接着させることにより、上面部１６０〜１９０を封止する（図１４参照）。以上のようにして、被収納物を包装箱Ａに包装したら、被収納物Ｇを収納した包装箱Ａを被収納物Ｇを陳列する場所に搬送する。
【００７５】
その後、商品を陳列する場合には、外箱部Ａ２を内箱部Ａ１から分離する。すなわち、外箱部Ａ２の側面部１２０の片部１２８を内側に押し込むことにより片部１２２の先端に指を引っかけることができるようにした後に、片部１２２を外側に回動させ、切目線１２４を破断する。すると、外箱部Ａ２の片部１２２を外側に回動させた際に、同時に分離部２４の下側のミシン目Ｋ２が破れて、分離部２４が内箱部Ａ１から分離し、回動させた片部１２２に接着した状態で片部１２２に従動する。
【００７６】
その後、片部１２０をそのまま正面部１１０側に引き続けてミシン目１２９ａ、１２９ｂを破断し、さらに、横方向に外側に引き続けてミシン目１１２を破断し、さらに、左側面側におけるミシン目１３２を破断する。すると、分離部３４の下側のミシン目Ｋ１２が破れて、分離部３４が内箱部Ａ１から分離し、側面部１３０における外側に引き出された部分に従動する。結果として、図１５に示す状態となる。
【００７７】
そして、外箱部Ａ２を上方に引き上げることにより、図１６に示すように、商品を下段と上段に収納した状態で、かつ、分離部２４、３４が分離した状態の内箱部Ａ１が残るので、被収納物Ｇを内箱部Ａ１に収納した状態で被収納物を陳列する。なお、外箱部Ａ２には、切欠部Ｋ２０、開口部Ｋ２２、Ｋ３０、Ｋ３２が設けられているので、外箱部Ａ２を容易に引き上げることができる。
【００７８】
本実施例の包装箱Ａによれば、図１や図２に示すように、上方が開口した包装箱Ａに対して上方から被収納物である商品を収納して、上面部１６０〜１９０を閉じて１つの接着テープＴにより封止するのみであるので、容易に被収納物（商品）の梱包作業を行うことができる。また、本実施例の包装箱Ａによれば、、片部１２２を外側に回動させて、分離部２４、３４を内箱部Ａ１から分離して外箱部Ａ２を上方に引き上げるのみで陳列することができるので、陳列作業を容易に行なうことができる。
【００７９】
特に、内箱部Ａ１において商品の収納スペースが下段と上段とに設けられた構成とすることができ、内箱部Ａ１の商品収納能力を向上させることができる。特に、内箱部Ａ１において、組み立てる前の段階（少なくとも一次組立て後の段階）では、上側構成部１４（特に、帯状部１４ｂと上側正面部補強片部１４ｃ）と棚部１６とは１枚のシート状に上方に伸び、補強片部２８、３８、４６も上方に伸びた状態となっているので、上方からでも下段に商品を収納することができる。さらに、上記特許文献１のように、外箱部Ａ２における一対の片部１２６、１３６の内側に分離部２４、３４が接着されている構成では、外箱部Ａを上方に引き上げると、分離部が側面部本体部２２、３２の辺部２２ｃ、３２ｃに接触して上方への引き上げに支障がある可能性があるが、本実施例の場合には、片部１２２を含めて外側に広く破断するので、そのような支障がない。
【００８０】
また、特に、本実施例の包装箱Ａにおいては、片部１２２が外箱部Ａ２の側面部１２０の下端位置よりも上側に設けられ、特に、片部１２２は、スリーブ状部１０５の下端の縁部に対して垂直方向の回動軸を中心に水平方向に回動するので、商品が収納された収納物を持ち上げて搬送する際に、誤って片部１２２を回動させてしまうことがない。つまり、仮に、分離部と接着した片部で、回動させるための片部をスリーブ状部１０５の下端から上方に伸びる平行な切込みにより形成した場合には、包装箱Ａを持ち上げる際に該片部の位置を手に持って持ち上げると、誤って 該片部を回動させてしまい、内箱部Ａ１と外箱部Ａ２とを分離させてしまうおそれがあるが、本実施例の包装箱Ａの外箱部Ａ２における片部１２２は上記のように構成されているので、そのようなおそれがない。
【００８１】
なお、上記の構成においては、帯状部１２ｂ、１４ｂ、２６、３６、４４の構成を省略したものとしてもよい。
【００８２】
また、内箱部Ａ１の底面部５０において、接続片部６０が側面部本体部３２から連設され、接続片部９０が側面部本体部２２から連設されているとしたが、逆に、接続片部６０が側面部本体部２２から連設され、接続片部９０が側面部本体部３２から連設された構成としてもよい。また、本体部７０が下側正面部１２ａから連設され、副体部８０が背面部本体部４２から連設されているとしたが、逆に、本体部７０が背面部本体部４２から連設され、副体部８０が下側本体部１２ａから連設された構成としてもよい。
【００８３】
なお、上記の説明においては、内箱部Ａ１や外箱部Ａ２が４つの側面部を有するもの、つまり、平面視が四角形の形状のものとして説明したが、平面視が他の多角形のものでもよい。例えば、内箱部や外箱部における側面部が６つや８つのものでもよく、このように側面部の数が偶数の場合には、内箱部における２つの分離部は相対する側面部に設ける。例えば、平面視が六角形の場合には、互いに平行な側面部に２つの分離部を設ける。また、側面部の数が奇数の場合には、一方の分離部が設けられた側面部と平行な対向する側面部がある場合には、その側面部に他の分離部を設け、平行な側面部がない場合には、一方の分離部が設けられた側面部と最も平行に近い（つまり、該側面部となす角度が最も小さい）側面部に他の分離部を設ければよい。
【図面の簡単な説明】
【００８４】
【図１】本考案の実施例に基づく包装箱の前方斜視図である。
【図２】本考案の実施例に基づく包装箱の後方斜視図である。
【図３】本考案の実施例に基づく包装箱の分解斜視図である。
【図４】図１のＰ−Ｐ線における要部断面図である。
【図５】本考案の実施例に基づく包装箱の底面図である。
【図６】内箱部の展開図である。
【図７】外箱部の展開図である。
【図８】包装箱を折り畳んだ状態を示す斜視図である。
【図９】包装箱を折り畳んだ際の内箱部の折り畳み状態を示す斜視図である。
【図１０】包装箱の使用状態を示す斜視図である。
【図１１】包装箱の使用状態を示す斜視図である。
【図１２】包装箱の使用状態を示す斜視図である。
【図１３】包装箱の使用状態を示す斜視図である。
【図１４】包装箱の使用状態を示す斜視図である。
【図１５】包装箱の使用状態を示す斜視図である。
【図１６】包装箱の使用状態を示す斜視図である。
【符号の説明】
【００８５】
Ａ 包装箱
Ａ１ 内箱部
Ａ２ 外箱部
５、１０５ スリーブ状部
１０、１１０ 正面部
１２  下側構成部
１２ａ  下側正面部
１２ｂ、１４ｂ、２６、３６、４４  帯状部
１４ａ  上側正面部
１４ｃ  上側正面部補強片部
１６  棚部
１６ａ  棚部本体部
１６ｂ  当接片部
１６ｂ−１  本体部
１６ｂ−２  突出部
２０、３０、１２０、１３０ 側面部
２２、３２  側面部本体部
２２Ｋ、３２Ｋ  切欠部
２４、３４  分離部
２６、３８、４６、補強片部
５０  底面部
６０、９０ 接続片部
７０ 本体部
８０ 副体部
１２２  片部
１２４  切目線
１２４ａ   第１切目線
１２４ｂ   第２切目線
１２４ｃ   第３切目線
１１２、１２９ａ、１２９ｂ、１３２  ミシン目
【図１】
0003147083.tif 000003
【図２】
0003147083.tif 000004
【図３】
0003147083.tif 000005
【図４】
0003147083.tif 000006
【図５】
0003147083.tif 000007
【図６】
0003147083.tif 000008
【図７】
0003147083.tif 000009
【図８】
0003147083.tif 000010
【図９】
0003147083.tif 000011
【図１０】
0003147083.tif 000012
【図１１】
0003147083.tif 000013
【図１２】
0003147083.tif 000014
【図１３】
0003147083.tif 000015
【図１４】
0003147083.tif 000016
【図１５】
0003147083.tif 000017
【図１６】
0003147083.tif 000018